(57)【要約】【課題】  ペンチなどの工具を必要とせず、開封作業が簡単で開梱作業性のよい包装箱を提供する。【解決手段】  一対の天面内フラップ３３・４３の上に一対の天面外フラップ１３・２３を折り重ね、それら一対の天面外フラップ間を跨いでそれら一対の天面外フラップを一対の天面内フラップにステープル６０で止めて組み立てる。そのような製品包装用の包装箱において、一対の天面外フラップに、ステープルで止める位置の縦方向内側で横断して設ける各一組の横切取り用破断線５０と、ステープルで止める位置の横方向内側で、先端縁１４・２４と一組の横切取り用破断線とに接続して設ける各二組の縦切取り用破断線５２とを形成する。一組の横切取り用破断線および一組の縦切取り用破断線の少なくとも一端には、切り起こし片５４・５５・５６を形成する。【選択図】      図２
2006206053.tif 000002
【特許請求の範囲】
【請求項１】
一対の内フラップの上に一対の外フラップを折り重ね、それら一対の外フラップ間を跨いでそれら一対の外フラップを前記一対の内フラップにステープルで止めて組み立てる包装箱において、
前記一対の外フラップに、前記ステープルで止める位置の縦方向内側で横断して設ける各一組の横切取り用破断線と、前記ステープルで止める位置の横方向内側で前記一対の外フラップの先端縁と前記各一組の横切取り用破断線とに接続して設ける各二組の縦切取り用破断線とを形成することを特徴とする、包装箱。
【請求項２】
前記一組の横切取り用破断線の少なくとも一端に切り起こし片を形成することを特徴とする、請求項１に記載の包装箱。
【請求項３】
前記一組の縦切取り用破断線の少なくとも一端に切り起こし片を形成することを特徴とする、請求項１または２に記載の包装箱。
【請求項４】
前記一組の縦切取り用破断線による切取り幅を手が入る大きさとすることを特徴とする、請求項１ないし３のいずれか１に記載の包装箱。
【発明の詳細な説明】
【技術分野】
【０００１】
この発明は、例えばプリンタ、複写機、ファクシミリなどの製品を梱包するときに用いる包装箱に関する。詳しくは、一対の内フラップの上に一対の外フラップを折り重ね、それら一対の外フラップ間を跨いでそれら一対の外フラップを一対の内フラップにステープルで止めて組み立てる包装箱に関する。
【背景技術】
【０００２】
従来、この種の包装箱は、例えば図９に示すような長方形状の段ボールシートを折り曲げてつくる。図中鎖線は、縦横に設ける折り曲げ線であり、この折り曲げ線により段ボールシートを、４つの側面を形成する一対の長側面１ａ・１ｂおよび一対の短側面２ａ・２ｂと、長側面１ａに設けてその長側面１ａと短側面２ｂとを接続する接続片３と、底面を形成する一対の底面外フラップ４ａ・４ｂおよび一対の底面内フラップ５ａ・５ｂと、天面を形成する一対の天面外フラップ６ａ・６ｂおよび一対の天面内フラップ７ａ・７ｂとに区画する。
【０００３】
そして、包装箱に組み立てるときは、段ボールシートを折り曲げ線で折り曲げて接続片３を短側面２ｂの右端部の裏側に接着などで貼り付ける。次に、一対の底面内フラップ５ａ・５ｂを折り曲げてから、その上に一対の底面外フラップ４ａ・４ｂを折り重ね、それら一対の底面外フラップ４ａ・４ｂ間を跨いでそれら一対の底面外フラップ４ａ・４ｂを一対の底面内フラップ５ａ・５ｂにステープルで止める。
【０００４】
それから、包装箱内に、画像形成装置等の製品を入れ、今度は一対の天面内フラップ７ａ・７ｂを折り曲げてから、その上に一対の天面外フラップ６ａ・６ｂを折り重ね、図１０に示すようにそれら一対の天面外フラップ６ａ・６ｂ間を跨いでそれら一対の天面外フラップ６ａ・６ｂを一対の天面内フラップ７ａ・７ｂに左右２つずつのステープル８で止めて組み立てていた。
【０００５】
梱包した製品を運搬後は、ステープル８を取り除いて一対の天面外フラップ６ａ・６ｂに続き、一対の天面内フラップ７ａ・７ｂを開いて開封し、包装箱から製品を取り出していた。
【発明の開示】
【発明が解決しようとする課題】
【０００６】
ところが、このような包装箱では、開封するときのステープル８の取り除きが困難で、例えばペンチなどの工具を必要とするとともに、開封作業に時間がかかり、開梱作業性が悪いという問題があった。
【０００７】
そこで、この発明の第１の目的は、ペンチなどの工具を必要とせず、開封作業が簡単で開梱作業性のよい包装箱を提供することにある。
【０００８】
この発明の第２の目的は、より開梱作業性のよい包装箱を提供することにある。
【０００９】
この発明の第３の目的は、開梱作業性とともに、梱包したままでの運搬性も向上した包装箱を提供することにある。
【課題を解決するための手段】
【００１０】
請求項１に記載の発明は、上述した第１の目的を達成すべく、一対の内フラップの上に一対の外フラップを折り重ね、それら一対の外フラップ間を跨いでそれら一対の外フラップを前記一対の内フラップにステープルで止めて組み立てる包装箱において、前記一対の外フラップに、前記ステープルで止める位置の縦方向内側で横断して設ける各一組の横切取り用破断線と、前記ステープルで止める位置の横方向内側で前記一対の外フラップの先端縁と前記一組の横切取り用破断線とに接続して設ける各二組の縦切取り用破断線とを形成する、ことを特徴とする。
【００１１】
そして、開封するときは、まず各一組の横切取り用破断線を順に破断して一対の外フラップを開き、次いで各二組の縦切取り用破断線を順に破断して一対の内フラップを連結する部分を取り除いて、ステープルで外フラップの一部を着けたままそれぞれの内フラップを開く。
【００１２】
請求項２に記載の発明は、上述した第２の目的を達成すべく、請求項１に記載の包装箱において、前記一組の横切取り用破断線の少なくとも一端に切り起こし片を形成する、ことを特徴とする。
【００１３】
そして、一組の横切取り用破断線を破断するとき、その一端に形成した切り起こし片を切り起こしてその切り起こし片をつまんで引っ張る。
【００１４】
請求項３に記載の発明は、上述した第２の目的を達成すべく、請求項１または２に記載の包装箱において、前記一組の縦切取り用破断線の少なくとも一端に切り起こし片を形成する、ことを特徴とする。
【００１５】
そして、一組の縦切取り用破断線を破断するとき、その一端に形成した切り起こし片を切り起こしてその切り起こし片をつまんで引っ張る。
【００１６】
請求項４に記載の発明は、上述した第３の目的を達成すべく、請求項１ないし３のいずれか１に記載の包装箱において、前記一組の縦切取り用破断線による切取り幅を手が入る大きさとする、ことを特徴とする。
【００１７】
そして、梱包した状態で運搬するとき、各二組の縦切取り用破断線をそれぞれ破断して切り取り、切取り幅内に指が入る手掛け孔を形成する。
【発明の効果】
【００１８】
請求項１に記載の発明によれば、開封するときは、まず各一組の横切取り用破断線を順に破断して一対の外フラップを開き、次いで各二組の縦切取り用破断線を順に破断して一対の内フラップを連結する部分を取り除いて、ステープルで外フラップの一部を着けたままそれぞれの内フラップを開くので、ステープルを取り外す必要がなく、したがってペンチなどの工具を必要とせずに、開封作業が簡単で開梱作業性のよい包装箱を提供することができる。
【００１９】
請求項２に記載の発明によれば、一組の横切取り用破断線の一端に形成した切り起こし片を切り起こしてその切り起こし片をつまんで引っ張れば、横切取り用破断線を破断することができるので、より開梱作業性のよい包装箱を提供することができる。
【００２０】
請求項３に記載の発明によれば、各二組の縦切取り用破断線の一端に形成した切り起こし片を切り起こしてその切り起こし片をつまんで引っ張れば、縦切取り用破断線を破断することができるので、より開梱作業性のよい包装箱を提供することができる。
【００２１】
請求項４に記載の発明によれば、梱包した状態で運搬するとき、各二組の縦切取り用破断線をそれぞれ破断して切り取り、切取り幅内に指が入る手掛け孔を形成するので、梱包状態での持ち運びも容易とし、開梱作業性とともに、梱包したままでの運搬性も向上した包装箱を提供することができる。
【発明を実施するための最良の形態】
【００２２】
以下、図面を参照しつつ、この発明の実施の最良形態につき説明する。
図１には、この発明に係る包装箱の展開図を示す。
【００２３】
この発明に係る包装箱は、長方形状の段ボールシートを、図中鎖線で示す２つの横折り曲げ線ａ、ｂと、４つの縦折り曲げ線ｃ、ｄ、ｅ、ｆで折り曲げて組み立てる。２つの横折り曲げ線ａ、ｂの間にある部分では、４つの側面を形成し、１０・２０は一対の長側面、３０・４０は一対の短側面である。
【００２４】
長側面１０には、１つの縦折り曲げ線ｃを挟んで、その長側面１０を短側面４０に接続する接続片１１を設ける。また、一対の長側面１０・２０には、それぞれ、横折り曲げ線ａを挟んで、底面を形成する一対の底面外フラップ１２・２２を、横折り曲げ線ｂを挟んで、天面を形成する一対の天面外フラップ１３・２３を設ける。一対の短側面３０・４０には、横折り曲げ線ａを挟んで、底面を形成する一対の底面内フラップ３２・４２を、横折り曲げ線ｂを挟んで、天面を形成する一対の天面内フラップ３３・４３を設ける。
【００２５】
ところで、この発明に係る包装箱では、各天面外フラップ１３・２３に、後述するステープル６０で止める位置の内側で、各天面外フラップ１３・２３の先端縁１４・２４と平行な横方向に横断して各一組の横切取り用破断線５０を設けるとともに、後述するステープル６０で止める位置の内側で、各天面外フラップ１３・２３の側縁１５・２５と平行な縦方向に、各天面外フラップ１３・２３の先端縁１４・２４と前記各一組の横切取り用破断線５０とに接続して各二組の縦切取り用破断線５２を設ける。一組の横切取り用破断線５０および一組の縦切取り用破断線５２は、それぞれ各天面外フラップ１３・２３の一部を帯状に切り取る平行な２本の切取り用破断線で構成する。
【００２６】
そして、一組の横切取り用破断線５０の少なくとも一端に切り起こし片を形成する。図示例では、各一組の横切取り用破断線５０の両端にＶ形の切り溝を入れて切り起こし片５４・５５を形成している。また、一組の縦切取り用破断線５２の少なくとも一端に切り起こし片を形成する。図示例では、一組の縦切取り用破断線５２の横切取り用破断線５０側にＶ形の切り溝を入れて切り起こし片５６を形成している。ここで、横切取り用破断線５０および縦切取り用破断線５２は、ともに不連続な切れ目を設けて形成する。
【００２７】
いま、この段ボールシートを折り曲げて包装箱を組み立てるときは、４つの縦折り曲げ線ｃ、ｄ、ｅ、ｆで折り曲げて接続片１１を短側面４０の右端部の裏側に接着などで貼り付ける。次に、横折り曲げ線ａで折り曲げて一対の底面内フラップ３２・４２を折り曲げてから、その上に一対の底面外フラップ１２・２２を折り重ね、それら一対の底面外フラップ１２・２２間を跨いでそれら一対の底面外フラップ１２・２２を一対の底面内フラップ３２・４２にステープルで止める。
【００２８】
それから、包装箱内に製品を入れ、今度は一対の天面内フラップ３３・４３を折り曲げてから、その上に一対の天面外フラップ１３・２３を折り重ね、図２に示すようにそれら一対の天面外フラップ１３・２３間を跨いでそれら一対の天面外フラップ１３・２３を一対の天面内フラップ３３・４３に左右２つずつのステープル６０で止めて組み立てる。
【００２９】
このとき、各一組の横切取り用破断線５０は、一対の天面外フラップ１３・２３にステープル６０で止める位置の縦方向内側で横断するように設ける。同様に、各二組の縦切取り用破断線５２は、一対の天面外フラップ１３・２３にステープル６０で止める位置の横方向内側で横断するように設ける。
【００３０】
運搬後、この包装箱を開封するときは、天面外フラップ１３・２３に設ける一組の横切取り用破断線５０を順に破断して一対の天面外フラップ１３・２３を開く。例えば、一方の天面外フラップ１３の片方の切り起こし片５４を折り曲げ位置５７で折り曲げて切り起こし、その切り起こし片５４をつまんで引っ張って図３に示すように一組の横切取り用破断線５０に沿って切断し、天面外フラップ１３を横断して帯状に切り取る。そして、図４に示すように、天面外フラップ１３の先端部分を残して、天面外フラップ１３の残りの部分を開く。
【００３１】
同様にして、他方の天面外フラップ２３に設ける一組の横切取り用破断線５０のいずれかの切り起こし片５４・５５を折り曲げ位置５７で折り曲げて切り起こし、その切り起こし片５４・５５をつまんで引っ張って別の一組の横切取り用破断線５０に沿って切断し、天面外フラップ２３を横断して帯状に切り取る。そして、図５に示すように、天面外フラップ２３の先端部分も残して、天面外フラップ２３の残りの部分を開く。
【００３２】
次いで、各二組の縦切取り用破断線５２の１つの切り起こし片５６を折り曲げ位置５８で折り曲げて切り起こし、その切り起こし片５６をつまんで引っ張って図６で示すように縦切取り用破断線５２に沿って切断し、順にすべての縦切取り用破断線５２を切断して図７に示すように一対の天面内フラップ３３・４３を連結する部分６２を取り除いて、ステープル６０で天面外フラップ１３・２３の一部を着けたまま一対の天面内フラップ３３・４３を開く。そして、包装箱内から製品を取り出す。
【００３３】
よって、ステープル６０を取り外す必要がなく、したがってペンチなどの工具を必要とせずに、開封作業が簡単で開梱作業性のよい包装箱を提供することができる。しかも、図示例では、一組の横切取り用破断線５０の一端に形成した切り起こし片５４・５５を切り起こしてその切り起こし片５４・５５をつまんで引っ張れば、横切取り用破断線５０を破断することができ、また各二組の縦切取り用破断線５２の一端に形成した切り起こし片５６を切り起こしてその切り起こし片５６をつまんで引っ張れば、縦切取り用破断線５２を破断することができるので、より開梱作業性のよい包装箱を提供することができる。
【００３４】
さて、図示例では、必要に応じ、梱包状態で、各二組の縦切取り用破断線５２の切り起こし片５６を順に切り起こし、その切り起こし片５６をつまんで引っ張って縦切取り用破断線５２に沿って切断することにより図８に示すような手が入る大きさの切取り幅Ｂの手掛け孔６４を形成する。これにより、梱包した状態で運搬するとき、各二組の縦切取り用破断線５２をそれぞれ破断して切り取り、切取り幅Ｂ内に指が入る手掛け孔６４とし、梱包状態での持ち運びも容易とし、開梱作業性とともに、梱包したままでの運搬性も向上した包装箱を提供することができる。
【図面の簡単な説明】
【００３５】
【図１】この発明に係る包装箱の展開図である。
【図２】その包装箱の梱包状態の斜視図である。
【図３】その包装箱の開梱時に、一組の横切取り用破断線に沿って一部を切り取った状態を示す斜視図である。
【図４】一組の横切取り用破断線に沿って切り取って一方の外フラップを開いた状態を示す斜視図である。
【図５】各一組の横切取り用破断線に沿って切り取って双方の外フラップを開いた状態を示す斜視図である。
【図６】その後、一組の縦切取り用破断線に沿って一部を切り取った状態を示す斜視図である。
【図７】二組の縦切取り用破断線に沿って双方を完全に切り取った状態を示す斜視図である。
【図８】梱包状態で、各二組の縦切取り用破断線に沿って切り取って手掛け孔を形成した状態を示す斜視図である。
【図９】従来の包装箱の展開図である。
【図１０】その従来の包装箱の梱包状態を示す斜視図である。
【符号の説明】
【００３６】
１３・２３    一対の天面外フラップ
１４・２４    一対の天面外フラップの先端縁
１５・２５    一対の天面外フラップの側縁
３３・４３    一対の天面内フラップ
５０    一対の横切取り用破断線
５２    一対の縦切取り用破断線
５４・５５・５６    切り起こし片
６０    ステープル
６２    一対の天面内フラップを連結する部分
６４    手掛け孔
【図１】
2006206053.tif 000003
【図２】
2006206053.tif 000004
【図３】
2006206053.tif 000005
【図４】
2006206053.tif 000006
【図５】
2006206053.tif 000007
【図６】
2006206053.tif 000008
【図７】
2006206053.tif 000009
【図８】
2006206053.tif 000010
【図９】
2006206053.tif 000011
【図１０】
2006206053.tif 000012